Podtech/llm-jp-corpus-v4-ja_patent huggingface dataset:
【手続補正書】
【提出日】平成15年6月24日(2003.6.24)
【手続補正１】
【補正対象書類名】明細書
【補正対象項目名】特許請求の範囲
【補正方法】変更
【補正の内容】
【特許請求の範囲】
【請求項１】
絶縁層（１２２，２２２）を形成する工程と、
この絶縁層内に、複数の第１伝導線（１２４，２２４）と、この第１伝導線に同時に接続する第１伝導性エッチ線（１５２）とを形成する工程と、
前記絶縁層内に、前記第１伝導線に隣接するトレンチ（１３０）をエッチングする工程と、
この絶縁層、トレンチ及び第１伝導線上にコンデンサ誘電体を蒸着する工程と、
複数の第２伝導線（１３６、２３６）を形成し、かつ、この第２伝導線に連結する第２伝導性エッチ線（１５４）を形成するために、前記トレンチを伝導材料で充填する工程とを有し、
前記第１伝導線の深さは前記絶縁層の全体の厚さであり、前記トレンチは前記第１伝導線と同一の深さを有する、金属−絶縁体−金属コンデンサの製造方法。
【請求項２】
前記第１及び第２エッチ線（１５２、１５４）は、パッド（１５６、１５８）に接続しており、これらのパッドは、前記した金属−絶縁体−金属コンデンサの製造に先立って蒸着される際または続いて蒸着される際に、バイアスによって金属被覆層と電気的に接続される請求項１に記載の方法。
【請求項３】
前記第１伝導線、前記コンデンサ誘電体及び前記第２伝導線は垂直コンデンサを形成する請求項１又は２に記載の方法。
【請求項４】
前記第１伝導線の間にある前記絶縁層内のトレンチをエッチングする工程は、この第１伝導線の間にある実質的に全ての絶縁層を除去する工程を備える請求項１〜３のいずれか１項に記載の方法。
【請求項５】
前記第１伝導線及び前記第２伝導線は、略同一の幅及び深さである請求項１〜４のいずれか１項に記載の方法。
【請求項６】
前記絶縁層を形成する工程は、層間誘電体を形成する工程を備える請求項１〜５のいずれか１項に記載の方法。
【請求項７】
前記コンデンサの第１伝導線を形成する際に、接続線を同時に金属被覆層に形成する工程をさらに備える請求項１〜６のいずれか１項に記載の方法。
【請求項８】
絶縁層（１２２，２２２）と、
この絶縁層内に形成される複数の第１伝導線（１２４，２２４）と、
この絶縁層内にある第１伝導線の直近に蒸着される、複数の第２伝導線（１３６、２３６）と、
前記第１伝導線及び前記第２の直近伝導線との間に蒸着される、コンデンサ誘電体と、
前記第１伝導線に連結する第１伝導性エッチ線（１５２）と、
前記第２伝導線に連結する第２伝導性エッチ線（１５４）とを備えており、
前記第１伝導線の深さは前記絶縁層の全体の厚さであり、前記第１伝導線と同一の深さを有するトレンチ（１３０）内に、前記第２伝導線が形成されている金属−絶縁体−金属コンデンサ。
【請求項９】
前記第１及び第２伝導性エッチ線（１５２、１５４）は、前記第１又は第２伝導線の電気的接続のために設けられたパッド（１５６、１５８）に接続されている請求項８に記載のコンデンサ。
【請求項１０】
前記パッドは、前記絶縁層の上方又は下方に備えられた金属被覆層に、バイアスを介して接続されている請求項８又は９に記載のコンデンサ。
【請求項１１】
前記第１伝導線、前記コンデンサ誘電体及び前記第２伝導線は、垂直コンデンサを形成する請求項８〜１０のいずれか１項に記載のコンデンサ。
【請求項１２】
前記絶縁層及び前記第１伝導線上に蒸着されたキャップ層をさらに備える請求項８〜１１のいずれか１項に記載のコンデンサ。
【請求項１３】
前記コンデンサ誘電体は前記第２伝導線の下に備えられている請求項８〜１２のいずれか１項に記載のコンデンサ。
【請求項１４】
前記絶縁層の一部分は前記第１伝導線及び前記第２伝導線との間に備えられている請求項８〜１３のいずれか１項に記載のコンデンサ。
【請求項１５】
前記絶縁層の実質的にどの部分も、前記第１及び第２伝導線との間に位置しない請求項８〜１４のいずれか１項に記載のコンデンサ。
【請求項１６】
前記第１伝導線及び前記第２伝導線は略同一の幅及び深さである請求項８〜１５のいずれか１項に記載のコンデンサ。
【請求項１７】
前記絶縁層は層間誘電体を備え、この層間誘電体の間に接続線が形成されている請求項８〜１６のいずれか１項に記載のコンデンサ。
【請求項１８】
前記第１伝導線及び前記第２伝導線の中のいずれの二つも、コンデンサ誘電体の垂直部分の周辺に蒸着されており且つ両面垂直コンデンサを備える、請求項１７に記載のコンデンサ。
【請求項１９】
くし型／くし型コンデンサを生成するために、前記第１伝導線は連結され、かつ前記第２伝導線は連結されている、請求項８〜１８のいずれか１項に記載のコンデンサ。
【請求項２０】
前記コンデンサ誘電体は一つ置きの伝導線の下に設けられている請求項８〜１９のいずれか１項に記載のコンデンサ。
【請求項２１】
前記絶縁層及び一つ置きの伝導線上に蒸着されるキャップ層をさらに備えている請求項８〜２０のいずれか１項に記載のコンデンサ。
【手続補正書】
【提出日】平成15年6月11日(2003.6.11)
【手続補正１】
【補正対象書類名】明細書
【補正対象項目名】特許請求の範囲
【補正方法】変更
【補正の内容】
【特許請求の範囲】
【請求項１】
少なくとも一つの半導体製品（３）を格納および／または移動するためのコンテナ（１）であって、該コンテナ（１）はハウジング（２）を含み、該ハウジングは、
実質的に一様な地面に立てた場合にハウジングを支持する支持領域（４）と、
該半導体製品を装填かつ／または非装填するための装填／非装填領域（５）と、
少なくとも二つの方向から該半導体製品を内包するカバー領域と
を含み、
該ハウジングは、該ハウジング（２）の所定の位置に位置付けされ、該コンテナが結合可能な装填ポートの一部を形成する第１の支持部材（７）と係合する第２の支持部材（６）を含み、
該コンテナが、該コンテナの基準点をマーキングするマーキング素子（８）を含み、該基準点は、該第２の支持部材（６）に対して所定の位置にあることを特徴とする、コンテナ。
【請求項２】
前記マーキング素子が少なくとも２つの表面において設けられていることを特徴とする、請求項１に記載のコンテナ。
【請求項３】
前記マーキング素子が３つの表面において設けられていることを特徴とする、請求項２に記載のコンテナ。
【請求項４】
前記マーキング素子が３次元マーキングであることを特徴とする、請求項１から３のいずれか一つに記載のコンテナ。
【請求項５】
前記マーキング素子が光学マーキングであることを特徴とする請求項１から３のいずれか一つに記載のコンテナ。
【請求項６】
前記光学マーキングがコントラストマーキングであることを特徴とする請求項５に記載のコンテナ。
【請求項７】
前記マーキングが反射性であることを特徴とする請求項１から６のいずれか一つに記載のコンテナ。
【請求項８】
前記光学マーキングが前記ハウジング（２）に取りつけられたラベルであることを特徴とする請求項５から７のいずれか一つに記載のコンテナ。
【請求項９】
前記マーキング素子（８）が二つの方向において基準点を特定することを特徴とする請求項１から８のいずれか一つに記載のコンテナ。
【請求項１０】
前記コンテナが、該コンテナの前面、側面、後面または上面の一つを特定するさらなる光学マーキング（９）を含むことを特徴とする請求項１から９のいずれか一つに記載のコンテナ。
【請求項１１】
前記第２の支持部材（６）が前記支持領域（４）に接続されていることを特徴とする請求項１から１０のいずれか一つに記載のコンテナ。
【請求項１２】
前記第２の支持部材（６）が溝であることを特徴とする請求項１から１０のいずれか一つに記載のコンテナ。
【請求項１３】
前記コンテナが前方開口統合ポッド（ＦＯＵＰ）であることを特徴とする請求項１から１０のいずれか一つに記載のコンテナ。
【請求項１４】
半導体製品コンテナ（１）を処理する機器であって、
該コンテナ（１）が結合可能な装填ポートの装填／非装填位置と、他の場所における位置との間で該コンテナ（１）を移動させ、該装填／非装填位置に該コンテナを位置付ける処理手段（１４）を含み、
該装填／非装填位置は、該装填ポートの一部を形成する第１の支持部材（７）が該コンテナ（１）の一部を形成する第２の支持部材（６）と係合するようになっており、
該機器は、
該コンテナの基準点の位置を検出する検出手段（１５）と、
該検出された基準点の位置から該コンテナの位置を算出する配置手段（１６）とを含み、
該検出手段および該配置手段は、
該他の場所（１０）における実際の位置（１２）が該機器によって格納された所定の位置（１１）から変位している場合、および／または、
該他の場所（１０）における実際の位置（１３）が少なくとも一つの方向または方位に対して予め定められていない場合に、
該装填／非装填位置に該コンテナを位置付けるように該機器を制御する、機器。
【請求項１５】
前記検出手段（１５）は、可動処理手段（１４）に取りつけられることを特徴とする、請求項１４に記載の機器。
【請求項１６】
前記検出手段（１５）が光学カメラを含むことを特徴とする、請求項１４または１５に記載の機器。
【請求項１７】
前記配置手段（１６）は、前記コンテナ（１）の位置に対する前記処理手段（１４）の比較位置を算出するように構成されることを特徴とする、請求項１４から１６のいずれか一つに記載の機器。
【請求項１８】
前記処理手段（１４）は、前記比較位置から、前記コンテナ（１）に対する所定位置であり、かつ、該コンテナ（１）をつかむのに適した位置に移動されることを特徴とする、請求項１７に記載の機器。
【請求項１９】
前記機器は、請求項１から１３の一つに従った種類のコンテナを移動させ、位置付けるように構成されていることを特徴とする、請求項１４から１８のいずれか一つに記載の機器。
【手続補正書】
【提出日】平成16年9月28日(2004.9.28)
【手続補正１】
【補正対象書類名】明細書
【補正対象項目名】特許請求の範囲
【補正方法】変更
【補正の内容】
【特許請求の範囲】
【請求項１】
処理室から排出された汚染物質の収集に使用する収集トラップ(42)であって、
（i）気体と汚染物質とを内部に導入する入口(56)を有し、前記気体と前記汚染物質とを物理的に分離するように機能する気体／汚染物質分離器(46)と、
（ii）分離された前記汚染物質を収集し、前記汚染物質を排出するための排出装置連結部(70)を有する汚染物質収集器(48)と、
（iii）分離された前記気体を前記気体／汚染物質分離器(46)から脱出させる出口(72)とを備えていることを特徴とする収集トラップ。
【請求項２】
前記収集トラップの前記出口(72)は、前記気体／汚染物質分離器(46)によって気体から物理的に分離されない汚染物質を収集するための光学的バッフル(66)を備えていることを特徴とする請求項１に記載の収集トラップ。
【請求項３】
前記汚染物質収集器(48)は、内部の汚染物質を目視するための透明部分(68)を備えていることを特徴とする請求項２に記載の収集トラップ。
【請求項４】
前記光学的バッフル(66)は、そこから内向きに延びるバッフル板(73)を備えていることを特徴とする請求項２に記載の収集トラップ。
【請求項５】
前記バッフル板は、部分的に重なり合っていることを特徴とする請求項４に記載の収集トラップ。
【請求項６】
前記部分的に重なり合うバッフル板は、非粘着性の材料からなる温度結合されたコーティングによって被覆されていることを特徴とする請求項５に記載の収集トラップ。
【請求項７】
前記気体／汚染物質分離器(46)は、ほぼ円錐台の形状を有していることを特徴とする請求項２に記載の収集トラップ。
【請求項８】
前記入口(56)は、先細り部分を備えていることを特徴とする請求項２に記載の収集トラップ。
【請求項９】
前記汚染物質は、液体および微粒子を含むことを特徴とする請求項２に記載の収集トラップ。
【請求項１０】
処理室(14)のための排気システムであって、
（i）排気ダクト(34)に接続された出口(32)を有し、前記処理室(14)から気体と汚染物質とを除去するためのポンプ(12)と、
（ii）前記ポンプの前記出口(32)と前記排気ダクト(34)との間に配置され、前記処理室から排出された汚染物質の収集に使用する収集トラップ(42)とを備え、
前記収集トラップは、前記気体と前記汚染物質とを内部に導入する入口(56)を有しかつ前記気体と前記汚染物質とを物理的に分離するように機能する気体／汚染物質分離器(46)と、分離された前記汚染物質を収集しかつ前記汚染物質を排出するための排出装置連結部(70)を有する汚染物質収集器(48)と、分離された前記気体を前記気体／汚染物質分離器(46)から脱出させる出口(72)とを備えていることを特徴とする排気システム。
【請求項１１】
前記収集トラップの前記出口(72)は、前記気体／汚染物質分離器(46)によって気体から物理的に分離されない汚染物質を収集するための光学的バッフル(66)を備えていることを特徴とする請求項１０に記載の排気システム。
【請求項１２】
前記汚染物質収集器(48)は、内部の汚染物質を目視するための透明部分(68)を備えていることを特徴とする請求項１１に記載の排気システム。
【請求項１３】
前記光学的バッフル(66)は、そこから内向きに延びるバッフル板(73)を備えていることを特徴とする請求項１０に記載の排気システム。
【請求項１４】
前記バッフル板(73)は、部分的に重なり合っていることを特徴とする請求項１３に記載の排気システム。
【請求項１５】
前記バッフル板(73)は、非粘着性の材料からなる温度結合されたコーティングによって被覆されていることを特徴とする請求項１４に記載の排気システム。
【請求項１６】
前記気体／汚染物質分離器(46)は、ほぼ円錐台の形状を有していることを特徴とする請求項１１に記載の排気システム。
【請求項１７】
前記入口(56)は、先細り部分を備えていることを特徴とする請求項１１に記載の排気システム(46)。
【請求項１８】
前記汚染物質は、液体および微粒子を含むことを特徴とする請求項１１に記載の排気システム。
【請求項１９】
前記収集トラップ(42)と前記排気ダクト(34)との間に配置されたフィルタ(44)をさらに備えていることを特徴とする請求項１１に記載の排気システム。
【手続補正書】
【提出日】平成16年11月2日(2004.11.2)
【手続補正１】
【補正対象書類名】明細書
【補正対象項目名】請求項１４
【補正方法】変更
【補正の内容】
【請求項１４】  前記の所定のダイエットレベルが、前記の加熱手段（４２）から前記身体（２８）に供給される最低加熱温度または最高冷却温度に関連づけられることを特徴とする請求項１３記載の方法。
【手続補正書】
【提出日】平成16年12月13日(2004.12.13)
【手続補正１】
【補正対象書類名】明細書
【補正対象項目名】特許請求の範囲
【補正方法】変更
【補正の内容】
【特許請求の範囲】
【請求項１】  抗ウイルス効果を有する阻害物質を検出するための複製アッセイであって、天然のウイルス分離株、浮遊標的細胞及びウシ胎仔血清を含有する細胞培養培地を含み、該ウシ胎仔血清濃度が５容量％以下であることを特徴とするアッセイ。
【請求項２】  請求項１に記載のアッセイのＨＴＳにおける使用。
【手続補正２】
【補正対象書類名】明細書
【補正対象項目名】０００９
【補正方法】変更
【補正の内容】
【０００９】
そのような複製アッセイにおけるウイルス関連ステップ（もしあったとしても、複雑な反応付加物を添加するだけでインビトロで進行する）は適当な宿主細胞内で再現され、ＨＩＶ複製プロセスと適するように機能する。
【手続補正３】
【補正対象書類名】明細書
【補正対象項目名】００１７
【補正方法】変更
【補正の内容】
【００１７】
本発明の範囲内で、驚くべきことに、従来、先行文献で用いられているよりも実質上低い濃度の血清の存在下でさえ、ＨＩＶ、特にＨＩＶのＬＡＶ分離株が増殖することが見出された。従来、ＨＩＶ宿主細胞にとって一般的な増殖条件は、少なくとも２０％のウシ胎仔血清（ＦＣＳ）を含有する培養培地であった。
【手続補正４】
【補正対象書類名】明細書
【補正対象項目名】００２２
【補正方法】変更
【補正の内容】
【００２２】
本発明に従って、低ＦＣＳ濃度で使用しうるＨＩＶ分離株の例として、ＨＩＶのＬＡＶ分離株が挙げられる。これはＨ９Ｔ−リンパ球細胞株を変化させ、呈色試薬を用いる光学アッセイにおける生物化学的工程の変化を介してウイルス感染を視覚化することができる。というのは、低濃度のＦＣＳ存在下、Ｈ９細胞はＨＩＶのＬＡＶ分離株に感染すると、感染細胞は、保護された細胞とウイルスで破壊された細胞とを呈色試薬を用いて識別できるような生理学的状態に変化するからである。
【手続補正５】
【補正対象書類名】明細書
【補正対象項目名】００２３
【補正方法】変更
【補正の内容】
【００２３】
驚いたことに、これらの条件下、検出に適当な呈色試薬は、ＸＴＴ，ＭＴＴ、ニュートラルレッド、及び特にalamarBlue (alamarBlue TM、Laboserv GmbH, Giessen, Germany; USP 5501959)または蛍光色素（例えば、フルオレセイン・ジアセテート）等であることが見出された。
【手続補正６】
【補正対象書類名】明細書
【補正対象項目名】００２６
【補正方法】変更
【補正の内容】
【００２６】
さらに、驚いたことに、あるＨＩＶ分離株、特にＬＡＶ分離株は、記載の方法以外では使用できなかった色素（染料）を用いて損傷の検出を可能にするように、インビトロで宿主細胞を特異的に損傷させるということも見出された。
【手続補正７】
【補正対象書類名】明細書
【補正対象項目名】００３３
【補正方法】変更
【補正の内容】
【００３３】
しかしながら、本発明の検定法（アッセイ法）は、大きい物質ライブラリーのアッセイに用いるのに好適であり、従って、抗ＨＩＶ作用を有する新規な物質群の検出に用いるのに好適であり得る。
【手続補正８】
【補正対象書類名】明細書
【補正対象項目名】００３４
【補正方法】変更
【補正の内容】
【００３４】
本発明のアッセイ法とは、天然のウイルス、特にＨＩウイルス類に対して感受性である標的細胞、特にＨ９Ｔリンパ球のようなリンパ球を、マルチウエルプレート中で、ごく少量（例えば０．１〜５容量％、好ましくは１〜２容量％）の成長因子、例えばウシ胎仔血清、を含有する例えばＲＰＭＩ培地等の細胞培養培地中、該ウイルス及び試験化合物または参照化合物と一緒に、２０〜４０℃、好ましくは３０〜４０℃、最も好ましくは３５〜３８℃の温度範囲、ＣＯ２濃度２〜８％、好ましくは５％において、２〜２０日間、好ましくは５〜１０日間、特定の温度における飽和湿度の下で浮遊培養中で培養し、次いで、呈色試薬、好ましくはalamarBlueまたはフルオレスセイン・ジアセテートをリードアウト（読み出し）用に添加し、再度混合物をインキュベートした後、ＨＴＳの方法で光学的に測定することを含むアッセイ法を意味する。
【手続補正９】
【補正対象書類名】明細書
【補正対象項目名】００３７
【補正方法】変更
【補正の内容】
【００３７】
次いで、試験プレートをインキュベーター中、３７℃、５％ＣＯ２、飽和湿度の下で７日間インキュベートする。次いで、ウエル内容物の１／１０容量の検出用色素（alamarBlue（Biosource International)またはフルオレスセイン・ジアセテート(PBS中200μｇ/ml））を加えて、試験化合物の抗ウイルス作用または細胞適合性を決定する。これには、alamarBlueの場合、上記の条件下、さらに５〜７時間、最大２４時間までの間インキュベートすることにより行う。次いで、吸光度または発光を測定し、光度測定法により評価する。フルオレスセイン・ジアセテートの場合、蛍光の発光は２０〜６０分間インキュベーションした後、すぐに測定する。
【手続補正１０】
【補正対象書類名】明細書
【補正対象項目名】００３８
【補正方法】変更
【補正の内容】
【００３８】
これらのアッセイ条件下、対照細胞に関しては、１．９吸光度単位の光学密度が測定され、一方、対照ウイルスは、０．０２吸光度単位の光学密度を有していた。この１：１００という驚異的に好都合なシグナル対ノイズ比は、目的のセットに従い、ＨＩＶを用いてＨＴＳアッセイを行う上で最適な必須（前提）条件である。
【手続補正１１】
【補正対象書類名】明細書
【補正対象項目名】００３９
【補正方法】変更
【補正の内容】
【００３９】
対照的に、当該技術におけるこれまでの通例である高濃度のＦＣＳ（２０容量％ＦＣＳ）を用いるＨＩＶ感染細胞培養では、対照細胞に関して１．５吸光度単位の吸光度が得られ、対照ウイルスに関して０．４吸光度単位が得られた。
約１：４という低いシグナル対ノイズ比は感度の良いＨＴＳを実施するには不十分である。
【手続補正書】
【提出日】平成15年6月30日(2003.6.30)
【手続補正１】
【補正対象書類名】明細書
【補正対象項目名】特許請求の範囲
【補正方法】変更
【補正の内容】
【特許請求の範囲】
【請求項１】
髄液(CSF) 試料を前処理し、該前処理によりタンパク質変性を生じることを特徴とする、CSF 試料中の少なくとも１つの終末糖化物質(AGE) の測定方法。
【請求項２】
前記前処理が、洗浄剤、カオトロピック試薬および／またはタンパク質分解酵素の群より選ばれる試薬を用いて行われることをさらに特徴とする請求項１記載の方法。
【請求項３】
請求項１または２記載のように測定した少なくとも１つのAGE-CSF-レベルを、既知のAGE-CSF-レベルまたは１つ以上のCSF 対照試料から得られるAGE-CSF-レベルと比較することを含む、神経変性疾患の評価方法。
【請求項４】
アルツハイマー病をモニターするための請求項１〜３いずれか記載の方法の使用。
【請求項５】
アルツハイマー病を診断するための請求項１〜３いずれか記載の方法の使用。
【請求項６】
CSF 中のAGE のレベルに影響を与える薬物をスクリーニングするための請求項１〜３いずれか記載の方法の使用。
【請求項７】
タンパク質変性を生じるタンパク質分解酵素の使用を含む、CSF 試料中に存在するAGE-エピトープを露出させる方法。
【手続補正書】
【提出日】平成16年9月8日(2004.9.8)
【手続補正１】
【補正対象書類名】明細書
【補正対象項目名】請求項５
【補正方法】変更
【補正の内容】
【請求項５】  食品がポテトでありそして上記方法が以下の各段階：
ａ）ポテトを破片に切断し、
ｂ）この破片を湯掻き、
ｃ）この破片を場合によっては部分乾燥し、
ｄ）この破片を、乾燥物換算で５０〜６０重量％の天然小麦澱粉、２０〜２５重  量％のポテトデキストリン、ｌ０〜２０重量％の米粉、４〜８重量％の塩およ  び０．５〜２重量％の膨張剤、例えば酸性ピロリン酸ナトリウムおよび／また  は重炭酸ナトリウムを含有する４０〜４５％の固形分含有量の水性バッター混  合物で被覆し、
ｅ）被覆された破片を半調理し、
ｆ）この半調理された破片を場合によっては冷凍すること
を含む請求項４に記載の方法。
【手続補正２】
【補正対象書類名】明細書
【補正対象項目名】０００３
【補正方法】変更
【補正の内容】
【０００３】
被覆され半調理された食品を提供する従来の試みが、サクサク感のある被覆を持つ製品または吸油量が減った製品または保持時間が延びている製品をもたらしてきたが、これらの全ての性質を組合せて有する製品はない。これらの被覆は一般に澱粉、主として化学的に変性された澱粉、小麦粉、ガム類、アルギン酸塩およびそれらの類似物の混合物で構成されている。
【手続補正３】
【補正対象書類名】明細書
【補正対象項目名】００１８
【補正方法】変更
【補正の内容】
【００１８】
本発明の方法は更に、食品がポテトでありそして上記方法が以下の各段階：
ａ）ポテトを破片に切り刻み、
ｂ）この破片を湯掻き、
ｃ）この破片を場合によっては部分乾燥し、
ｄ）この破片を、乾燥物換算で５０〜６０重量％の天然小麦澱粉、２０〜２５重  量％のポテトデキストリン、ｌ０〜２０重量％の米粉、４〜８重量％の塩およ  び０．５〜２重量％の膨張剤、例えば酸性ピロリン酸ナトリウム(sodium acid pyrophosphate) および／または重炭酸ナトリウムを含有する４０〜４５％の固  形分含有量の水性バッター混合物で被覆し、
ｅ）被覆された破片を半調理し、
ｆ）この半調理された破片を場合によっては冷凍すること
を含むことを特徴とする、上記方法にも関する。
【手続補正４】
【補正対象書類名】明細書
【補正対象項目名】００３８
【補正方法】変更
【補正の内容】
【００３８】
食品自体は広範囲の食品、例えばあらゆる種類の野菜および肉、魚介類および家禽から選択することができる。広範囲の野菜、例えばブロッコリ、カリフラワー、タマネギ、キクイモ、さつまいも、ビート、カブ、にんじん、ペッパー、キノコ、カボチャ、ナス、好ましくはポテト製品、または半調理も被覆もできる他の野菜に適用できる。フレンチフライは被覆され半調理された食品の特別な例である。
【手続補正５】
【補正対象書類名】明細書
【補正対象項目名】００４６
【補正方法】変更
【補正の内容】
【００４６】
次いで被覆段階を、乾燥物換算で５０重量％〜６０重量％の天然小麦澱粉、２０〜２５重量％のポテトデキストリン、および１０〜２０重量％、好ましくは１０〜２０重量％の米粉、４〜８重量％の塩および０．５〜２重量％の膨張剤、例えば酸性ピロリン酸ナトリウムおよび／または重炭酸ナトリウムを含有するを含む４０〜４５重量％濃度の水性バッター混合物を用いて行う。
【手続補正６】
【補正対象書類名】明細書
【補正対象項目名】００５６
【補正方法】変更
【補正の内容】
【００５６】
実施例：
バッター混合物の製造
乾燥バッター混合物を以下の成分を混合することによって製造した：
５５ｇの天然小麦澱粉(ClGel(R) 20006 ）(Cerestar)
２３ｇのポテトデキストリン (CIDrySet(R) 08913)(Cerestar)
１５ｇの米粉 (Remyflo (R) 7-200)
６ｇの塩（塩化ナトリウム）
０．５ｇの酸性ピロリン酸ナトリウム、
０．５ｇの重炭酸ナトリウム。
【手続補正７】
【補正対象書類名】明細書
【補正対象項目名】００５８
【補正方法】変更
【補正の内容】
【００５８】
バッター混合物の適用
予備的に切ったポテト製品（フライ）を熱湯（８０℃）で１０分間湯掻いた。このポテト細片を次いで３０秒間、０．５％（重量／容量）の酸性ピロリン酸ナトリウム溶液に浸漬し、次いで９３℃で１０分間慣用のオーブンで乾燥した。乾燥したポテト細片を上記の組成を有する水性のバッター混合物中に浸漬した。バッター付着量を制御するために、ポテト細片を、水性バッター混合物中での被覆段階の前および後にそれぞれ秤量しそして浸漬で９％〜１１％のバッター付着量が得られた。
【手続補正書】
【提出日】平成15年1月8日(2003.1.8)
【手続補正１】
【補正対象書類名】明細書
【補正対象項目名】特許請求の範囲
【補正方法】変更
【補正の内容】
【特許請求の範囲】
【請求項１】
挿入可能カテーテルをロックするための材料の製造における溶液の使用であって、前記溶液が低級アルコールと添加剤とを含む使用。
【請求項２】
さらに、挿入可能カテーテルを消毒するための溶液の使用を含む請求項１に記載の使用。
【請求項３】
低級アルコールが、エタノール、プロパノール、およびブタノールからなる群から選択される請求項１または２に記載の使用。
【請求項４】
低級アルコールがイソプロパノールである請求項１から３のいずれか一項に記載の使用。
【請求項５】
添加剤が、タウロリジンおよびトリクロサンからなる群から選択される抗菌剤である請求項１から４のいずれか一項に記載の使用。
【請求項６】
添加剤が、リボフラビン、クエン酸ナトリウム、エチレンジアミンテトラ酢酸、およびクエン酸からなる群から選択される抗凝固剤である請求項１から４のいずれか一項に記載の使用。
【請求項７】
少なくとも１つの低級アルコールと、
少なくとも１つの他の抗菌または抗凝固化合物と
を含むロック組成物で充填された挿入可能カテーテル。
【請求項８】
低級アルコールが約１％から９９％の範囲内にあり、エタノール、プロパノール、およびブタノールからなる群から選択される請求項７に記載の挿入可能カテーテル。
【請求項９】
少なくとも１つの他の抗菌化合物が約１％〜９９％の範囲にあり、タウロリジンおよびトリクロサンからなる群から選択される請求項７または８に記載の挿入可能カテーテル。
【請求項１０】
少なくとも１つの抗凝固化合物が約１％〜９９％の範囲にあり、リボフラビン、クエン酸ナトリウム、エチレンジアミンテトラ酢酸、およびクエン酸からなる群から選択される請求項７または８に記載の挿入可能カテーテル。
【請求項１１】
低級アルコールが約１７．５体積％のイソプロパノールであり、少なくとも１つの抗凝固化合物が約４体積％のクエン酸ナトリウムである請求項７または８に記載の挿入可能カテーテル。
【請求項１２】
挿入可能カテーテルをロックするためのキットであって、
低級アルコールおよび添加剤を含む溶液の体積を保持する容器と、
溶液でカテーテルのルーメンを満たすことを含む方法を示す取扱説明と
を備えるキット。
【手続補正書】
【提出日】平成16年9月8日(2004.9.8)
【手続補正１】
【補正対象書類名】明細書
【補正対象項目名】特許請求の範囲
【補正方法】変更
【補正の内容】
【特許請求の範囲】
【請求項１】
単離された細胞の保存方法であって、
加水分解ゼラチンを含むゲルであって、水溶液の添加により分散されるほど十分に弱いゲルに細胞を付着させ、
０〜１５℃の温度で細胞を培養することを含む方法。
【請求項２】
前記ゲルは細胞培地および加水分解ゼラチンを含む、請求項１記載の方法。
【請求項３】
前記細胞は４〜１４℃の温度で培養される、請求項１または２に記載の方法。
【請求項４】
前記加水分解ゼラチンはゼラチンの熱加水分解により生成される、請求項１〜３のいずれか一項に記載の方法。
【請求項５】
前記加水分解ゼラチンは、８５〜１２１℃の温度で０．３〜３時間、ゼラチンを加熱することにより生成される、請求項４記載の方法。
【請求項６】
前記ゲルは０．５％〜５．０％（ｗ／ｖ）の加水分解ゼラチンを含む、請求項１〜５のいずれか一項に記載の方法。
【請求項７】
前記ゲルは１％〜２％（ｗ／ｖ）の加水分解ゼラチンを含む、請求項１〜５のいずれか一項に記載の方法。
【請求項８】
前記ゲルは、グルコースおよびヘペスを含むレイボヴィッツ（Leibovitz）培地中に、１．５％（ｗ／ｖ）の加水分解ゼラチンを含む、請求項１〜７のいずれか一項に記載の方法。
【請求項９】
前記細胞は一次細胞である、請求項１〜８のいずれか一項に記載の方法。
【請求項１０】
前記細胞は肝細胞である、請求項１〜８のいずれか一項に記載の方法。
【請求項１１】
前記細胞はゲルの表面に付着され、液体培地で被覆される、請求項１〜１０のいずれか
一項に記載の方法。
【請求項１２】
前記細胞が前記ゲルの２つの層の間に保持されるように、該細胞は第一のゲル層の表面に付着され、第二のゲル層で被覆される、請求項１〜１０のいずれか一項に記載の方法。
【請求項１３】
前記細胞は、前記ゲルが固化する前に該ゲルと混合されて、該ゲルが固化した場合に該ゲル中に固定されている、請求項１〜１０のいずれか一項に記載の方法。
【請求項１４】
前記細胞は固体支持体に付着され、次に前記ゲルの層で被覆される、請求項１〜１０のいずれか一項に記載の方法。
【請求項１５】
前記固体支持体は培養皿、ウエルまたはカラムである、請求項１４記載の方法。
【請求項１６】
請求項１〜１５のいずれか一項に記載の方法に用いるための加水分解ゼラチンを含み、水溶液の添加により分散されるほど十分に弱いゲル。
【請求項１７】
加水分解ゼラチン、および一種または複数種の単離された細胞を含み、水溶液の添加により分散されるほど十分に弱いゲル。
【請求項１８】
固体支持体であって、その上に請求項１６または請求項１７記載のゲルが形成されている固体支持体。
【請求項１９】
培養皿、ウエルまたはカラムである、請求項１８記載の固体支持体。
【請求項２０】
請求項１８または１９記載の固体支持体であって、細胞が該固体支持体上に形成されたゲルに付着される固体支持体。
【請求項２１】
単離された細胞の保存方法であって、該細胞がゲルの２つの層の間に保持されるように、該細胞を第一のゲル層の表面に付着させ、そして第二のゲル層で被覆すること、および４〜１４℃の温度で細胞を培養することを含む方法であって、該ゲルの層の少なくとも一層が非加水分解ゼラチンを含む方法。
【請求項２２】
前記ゲルの２つの層はいずれも非加水分解ゼラチンを含む、請求項２１記載の方法。
【請求項２３】
前記第一のゲル層は加水分解ゼラチンを含み、前記第二のゲル層は非加水分解ゼラチンを含む、請求項２１記載の方法。
【請求項２４】
前記第一のゲル層は非加水分解ゼラチンを含み、前記第二のゲル層は加水分解ゼラチンを含む、請求項２１記載の方法。
【請求項２５】
少なくとも２〜３日毎に１回、前記細胞を１〜１６時間、２０〜３７℃の温度にさらすことをさらに含む、請求項前記のいずれか１項に記載の方法。
【請求項２６】
前記温度上昇により、前記ゼラチンゲルの融解を引き起こし、
前記温度が上昇している間に、前記細胞を懸濁培養に移し、次に保存し続けるためにゼラチンを含有するゲルに付着させることをさらに含む、請求項２５記載の方法。
【請求項２７】
固体支持体であって、その上に第一のゼラチンゲル層が形成され、該第一のゼラチンゲル層の上に第二のゼラチンゲル層が形成され、２つのゼラチンゲル層の間に細胞が保持される固体支持体。
【請求項２８】
前記ゼラチンゲル層は加水分解ゼラチンゲルおよび非加水分解ゼラチンゲルから別々に選択される、請求項２５記載の固体支持体。
【請求項２９】
加水分解ゼラチンおよび／または非加水分解ゼラチンを含む液化ゲルで器官または組織を灌流することを含む、単離された器官断片または単離された組織断片の保存方法であって、
灌流後、器官または組織が０〜１５℃の温度で保存され、液化ゲルは固化する方法。
【手続補正書】
【提出日】平成15年6月23日(2003.6.23)
【手続補正１】
【補正対象書類名】明細書
【補正対象項目名】特許請求の範囲
【補正方法】変更
【補正の内容】
【特許請求の範囲】
【請求項１】
物質が、上方制御されたタンパク質によりマクロファージが活性化過剰状態にある慢性炎症性気道疾患を阻害するか又は軽減するかどうかを測定するための方法であって、
該タンパク質が、DAD1及びARL4からなる群から選ばれることを特徴とし、及び該方法が、
(a)  該タンパク質又はその機能的同等体、変異体、突然変異体またはフラグメントと、該タンパク質の所望の機能の阻害剤であるかを試験するための物質とを接触させ、及び
(b) 所望の機能が阻害されているかを測定することを特徴とする前記方法。
【請求項２】
所望の機能の阻害または活性化を直接測定する請求項1記載の方法。
【請求項３】
所望の機能の阻害または活性化を間接的に測定する請求項1記載の方法。
【請求項４】
該タンパク質が哺乳類タンパク質である請求項1記載の方法。
【請求項５】
該タンパク質がヒトタンパク質である請求項4記載の方法。
【請求項６】
分析を、細胞系を使用して行う請求項1記載の方法。
【請求項７】
分析を、無細胞系を使用して行う請求項1記載の方法。
【請求項８】
慢性炎症性気道疾患が慢性気管支炎又はCOPDからなる群から選ばれる請求項１記載の方法。
【請求項９】
慢性炎症性気道疾患を診断又は監視するための方法であって、マクロファージ中で発現するDAD1及びARL4からなる群から選ばれるタンパク質の発現レベルを測定することを含む、前記方法。
【請求項１０】
該マクロファージが哺乳類マクロファージである請求項９記載の方法。
【請求項１１】
該マクロファージがヒトマクロファージである請求項１０記載の方法。
【請求項１２】
慢性炎症性気道疾患が慢性気管支炎又はCOPDからなる群から選ばれる請求項９記載の方法。
【請求項１３】
請求項１記載の方法を行うための試験系であって、DAD1及びARL4からなる群から選ばれるタンパク質、又は該タンパク質の機能的同等体、変異体、突然変異体またはフラグメントを含有する前記試験系。
【請求項１４】
DAD1及びARL4からなる群から選ばれるタンパク質、又はその機能的同等体、変異体、突然変異体またはフラグメントの細胞発現を含む請求項１３記載の試験系。
【請求項１５】
DAD1及びARL4からなる群から選ばれるタンパク質の活性剤または阻害剤であると測定された物質。
【請求項１６】
DAD1及びARL4からなる群から選ばれるタンパク質の阻害剤である、ある疾患を治療するための物質。
【請求項１７】
前記疾患が慢性炎症性気道疾患である請求項16記載の物質。
【請求項１８】
前記慢性炎症性気道疾患が慢性気管支炎及びCOPDからなる群から選ばれる請求項17記載の物質。
【請求項１９】
DAD1及びARL4からなる群から選ばれるタンパク質の阻害剤であると測定された少なくとも1種の物質を含む医薬組成物。
【請求項２０】
慢性炎症性気道疾患を治療するための医薬組成物を製造するための、DAD1及びARL4からなる群から選ばれるタンパク質の阻害剤であると測定された物質の使用。
【請求項２１】
慢性炎症性気道疾患が慢性気管支炎及びCOPDからなる群から選ばれる請求項20記載の物質の使用。
【請求項２２】
DAD1及びARL4からなる群から選ばれるタンパク質の阻害剤であると測定された少なくとも1種の物質を含む医薬組成物を、慢性炎症性気道疾患の治療が必要な患者に適当量投与することを含む慢性炎症性気道疾患を治療するための方法。
【請求項２３】
哺乳類を治療するための請求項22記載の方法。
【請求項２４】
ヒトを治療するための請求項22記載の方法。
【請求項２５】
慢性気管支炎及びCOPDからなる群から選ばれる慢性炎症性気道疾患を治療するための請求項22記載の方法。
【請求項２６】
DAD1及びARL4からなる群から選ばれるタンパク質の阻害剤であると測定された物質を投与することを含む、マクロファージ中でDAD1及びARL4からなる群から選ばれるタンパク質を選択的に調整するための方法。
【請求項２７】
マクロファージが、慢性炎症性気道疾患に含まれる請求項26記載の方法。
【請求項２８】
慢性炎症性気道疾患が、慢性気管支炎及びCOPDからなる群から選ばれる請求項27記載の方法。
【手続補正書】
【提出日】平成16年12月7日(2004.12.7)
【手続補正１】
【補正対象書類名】明細書
【補正対象項目名】００３７
【補正方法】変更
【補正の内容】
【００３７】
実施例2: 抗体CD28.3由来のscFvフラグメントの性質
図1は、抗体CD28.3由来scFvフラグメントのポリペプチド配列を示す。重鎖と軽鎖の可変フラグメントに相当するこの配列の部分は、大文字で示している。また、軽鎖の可変フラグメントに相当する配列に、下線を付している。リンカーの配列は、斜体で示している。重鎖と軽鎖のCDR配列は、囲んでいる。
このscFvフラグメントをエンコードするヌクレオチド配列は、番号 SEQ ID No.1で別紙の配列リストに示している。
【手続補正２】
【補正対象書類名】明細書
【補正対象項目名】００４２
【補正方法】変更
【補正の内容】
【００４２】
実施例4: α1-抗トリプシンをエンコードする配列からなり、scFv フラグメントをエンコードする配列を導入できる発現ベクターの構築
原核細胞発現ベクター:
ベクターpIG6を用いた(Biochemisches Institut, University of Zurich)。このベクターは、特にアンピシリン耐性マーカー及び誘導性lacプロモーターの制御下にある ompAシグナルペプチドをエンコードする配列、配列(1-文字コード)のDYKDのマーカーペプチドをエンコードする配列、c-mycマーカーペプチドをエンコードする配列及びポリヒスチジン-5マーカーをエンコードする配列からなる発現カセットを含む。
アミノ酸53〜425に相当するヒトα1-抗トリプシンのフラグメントをエンコードするcDNAを、pIg6のEcoRI〜EcoRV部位の間、ペプチドDYKDをエンコードする配列の下流及びc-mycマーカーをエンコードする配列の上流に導入した。
得られた構築物を、pIg6-Haatと称する。
【手続補正３】
【補正対象書類名】明細書
【補正対象項目名】００４３
【補正方法】変更
【補正の内容】
【００４３】
真核細胞発現ベクター:
ベクターpSECTagB (Invitrogen, De Schelp, The Netherlands)を用いた。このベクターは、特にアンピシリン耐性マーカー、ゼオシン耐性マーカー及びCMVプロモーターの制御下にあるIgGκ軽鎖のシグナルペプチドをエンコードする配列、c-mycマーカーペプチドをエンコードする配列及びポリヒスチジン-6マーカーをエンコードする配列からなる発現カセットを含む。
アミノ酸53〜425に相当するヒトα1-抗トリプシンのフラグメントをエンコードするcDNAを、ベクターPSEC B TagのBamHI 〜EcoRI部位の間、c-mycマーカーをエンコードする配列の上流に導入した。
得られた構築物を、pSecHaatと称する。
【手続補正４】
【補正対象書類名】明細書
【補正対象項目名】００４４
【補正方法】変更
【補正の内容】
【００４４】
実施例5: CD28.3 scFv/α1-抗トリプシン融合タンパク質をエンコードする配列を組み込む発現ベクターの構築
原核細胞発現ベクター:
上記の実施例3に記載されるCD28.3 ScFv/α1-抗トリプシン融合タンパク質をエンコードするcDNAを、pIG6のEcoRI〜XhoI部位の間、ペプチドDYKDをエンコードする配列の下流及びc-mycマーカーをエンコードする配列の上流に導入した。
得られた構築物を、pIg6-28.3Haatと称する。
【手続補正５】
【補正対象書類名】明細書
【補正対象項目名】００４５
【補正方法】変更
【補正の内容】
【００４５】
真核細胞発現ベクター:
上記実施例3に記載されるCD28.3 ScFv/α1-抗トリプシン融合タンパク質をエンコードするcDNAを、ベクターPSEC B TagのBamHI〜XhoI部位の間、c-mycマーカーをエンコードする配列の上流に導入した。
得られた構築物を、pSec-28.3Haatと称する。
E.coli DH5αに保有されるこのベクターを、番号I-2762で2001年12月11日にCNCMに寄託した。
【手続補正書】
【提出日】平成15年8月29日(2003.8.29)
【手続補正１】
【補正対象書類名】明細書
【補正対象項目名】特許請求の範囲
【補正方法】変更
【補正の内容】
【特許請求の範囲】
【請求項１】
(a)キャビティと、近位端部および遠位端部とを備えるハウジング、
(b)ハウジングキャビティ内の注射器アセンブリー、
を有する自動、調合注射器であって、
前記注射器アセンブリーは、更に、
(1)液を保持するための第１の室を有し、
(2)第２の室を有し、前記第２の室は、第１の室に対し遠位に配置されており、
(3)第１の室を第２の室か取り外し可能にシールするディスクを有し、
(4)第２の室の遠位に配置された針を有し、
(5)プランジャーを有し、前記プランジャーは、近位に配置されたプランジャーシャフトを有しており、プランジャーは、液を第１の室から強制的に取り出し、ディスクを取り外すように作動することができる、
(6)プランジャーシャフトおよび駆動ばねを係合するばね-プランジャー連結体を有し、
(7)スプリッターを有し、前記スプリッターは、ばね-プランジャー連結体の遠位にあるハウジングに取り付けられており、スプリッターは更に、ばね-プランジャー連結体を係合するための面を備えており、ばね-プランジャー連結体をプランジャーシャフトから強制的に取り外し、それによって、駆動ばねを注射器アセンブリーから取り外し、そして、
前記自動、調合注射器は、
(c)液が針の通過を強制される前に、第２の室を通過して流れるように、取り外されたディスクに対して近位にある第２の室の一部と取り外されたディスクに対し遠位にある第２の室の一部との間に液の流通を可能にする第２の室の室壁内の少なくとも１つのアパーチャーを更に有する、
自動調合、注射器。
【請求項２】
プランジャーシャフトは更に、周方向の溝を有し、ばね-プランジャー連結体が更に、下記の(a)(b)を更に有する請求項１記載の自動、注射器。
(a)複数の軸方向のスリットを有し、
(b)前記周方向の溝を取り外し可能に係合するための径方向リップを有し、ばね-プランジャー連結体がスプリッターを係合すると、前記径方向リップが周方向の溝から取り外される、
【請求項３】
下記の(a)(b)(c)を更に有する請求項１記載の自動、注射器。
(a)液を保持するための第２の室を有し、
(b)第１の室と第２の室の間に配置されたディスクを有し、前記ディスクは、第１の室を第２の室から取り外し可能にシールしており、そして、
(c)液が針の通過を強制される前に、第２の室を通過して流れるように、取り外されたディスクの近位にある第２の室の一部と、取り外されたディスクの遠位にある第２の室の一部との間に液の流通を可能にする第２の室の室壁内の少なくとも１つのアパーチャーを有する、
【請求項４】
医薬を収容する第１の室と、
プランジャーに規定される第１の係合部材を備え、前記第１の室と協働するプランジャーと、
前記第１の室と液の流通が可能である針と、
内周面に規定される第２の係合部材を備える連結体とを有する注射器であって、
前記第１および第２の係合部材は、互いに取り外し可能に係合されており、
第１のばねが前記連結体に作用して、プランジャーが１つの表面に接するまでプランジャーを第１の方向に付勢し、前記表面は、前記第２の係合部材を前記プランジャーから離間させて、前記第１および第の係合部材を互いから取り外す注射器。
【請求項５】
前記第１の室と前記の針は、ハウジング内に可動に配置される請求項４記載の注射器。
【請求項６】
前記第１の室と前記針とを第２の方向に付勢する第２のばねとを更に有し、前記第２のばねは第１のばねよりも弱い請求項５記載の注射器。
【請求項７】
前記第２のばねは、前記第１および第２の係合部材が一旦互いから取り外されると、前記第１の室と前記針とを前記第２の方向に移動する請求項６記載の注射器。
【請求項８】
前記ハウジングと前記第１の室の間に配置された衝撃緩和パッドを更に有し、前記第１の室と前記ハウジングとの衝撃が緩和される請求項５記載の注射器。
【請求項９】
針と、医薬を保持するための第１の室と、前記医薬を前記の針を通って前記第１の室から作動させることができるプランジャーとを備える注射器アセンブリーと、
前記プランジャーに規定される第１の係合部材とを有する注射器であって、
前記注射器アセンブリーの周囲に配置されたハウジングを備え、前記注射器アセンブリーは、前記ハウジング内において、後退位置と延出位置の間で移動することができ、前記ハウジングは、前記の針を前記の後退位置内に格納することができ、前記針は、前記ハウジングから前記延出位置に延出することができ、
前記注射器アセンブリーを前記後退位置から前記延出位置に駆動して、前記プランジャーが前記医薬を前記針を通して作動させる第１のばねを有し、
前記第１のばねと前記プランジャーの間に配置された連結体を備え、前記連結体は、第２の係合部材を有し、前記連結体は、閉鎖位置と開放位置を有し、前記第１および第２の係合部材は、前記連結体が前記閉鎖位置にあって、前記プランジャーが前記第１のばねと作動的に係合するとき互いに係合され、前記第１および第２の係合部材は、前記連結体が
前記開放位置にあって、前記プランジャーが前記第１のばねから外れるとき互いから取り外され、
前記プランジャーが前記の医薬を前記の針を通って前記第１の室から強制的に排出した後、前記閉鎖位置から前記開放位置へと移動するために前記ハウジング内に規定された１つの表面を備える注射器。
【請求項１０】
前記表面は、前記プランジャーから径方向に傾斜して離間する請求項９記載の注射器。
【請求項１１】
前記第１の係合部材は、前記プランジャーに規定される溝であり、前記第２の係合部材は、前記連結体に規定されるリップである請求項９記載の注射器。
【請求項１２】
前記の溝は、前記プランジャーにおいてその円周方向に規定されており、前記リップは、前記連結部材の内面に円周方向に規定されている請求項１１記載の注射器。
【請求項１３】
前記連結体は、前記第２の係合部材を備える複数の開放可能な部分を更に有する請求項９記載の注射器。
【請求項１４】
前記第１のばねは、前記複数の開放可能な部分を、前記表面を越えて駆動し、前記第１および第２の係合部材の係合を外す請求項１３記載の注射器。
【請求項１５】
前記連結体が、開放位置に移動された後、前記注射器アセンブリーを前記延出位置から前記後退位置に駆動するための第２のばねを更に有する請求項９記載の注射器。
【請求項１６】
前記注射器アセンブリーが、前記延出位置に到達したとき、前記注射器アセンブリーと前記ハウジングとの衝撃を緩和するために、前記ハウジングと前記注射器アセンブリーの間に配置された緩衝パッドを更に有する請求項９記載の注射器。
【請求項１７】
前記注射器アセンブリーを前記後退位置に取り外し可能に固定するための手段を更に有する請求項９記載の注射器。
【手続補正書】
【提出日】平成16年10月19日(2004.10.19)
【手続補正１】
【補正対象書類名】明細書
【補正対象項目名】特許請求の範囲
【補正方法】変更
【補正の内容】
【特許請求の範囲】
【請求項１】  酸化しやすい医薬組成物の安定性の改善方法であって、
・空のＰＥ、ＰＰおよび／またはＰＥＴ容器を、エチレンオキシド（ＥＴＯ）に、室温で、滅菌するのに十分な濃度および時間曝すこと、
・ＥＴＯ量を１ｐｐｍ未満にするのに十分な期間、該容器から無菌条件下で該ＥＴＯを除去すること、
・無菌条件下で、医薬組成物を該滅菌容器中に移すこと、および
・該医薬組成物を含む該容器を、密閉デバイスで密閉すること、
の工程を含む、方法。
【請求項２】  医薬組成物が水性眼病用医薬組成物である、請求項１に記載の方法。
【請求項３】  容器がＬＤＰＥおよび／またはＨＤＰＥ容器、さらに好ましくはＬＤＰＥ容器、特にＬＤＰＥ容器である、請求項１に記載の方法。
【請求項４】  医薬組成物がジクロフェナク、１５−ケト−ラタノプロスト、ケトロラック、ケトチフェン、ラタノプロスト、レボブノロール、レボカバスチン、オフロキサシン、ピロカルピン、ポリミキシンＢ、プレドニゾロン、レチノイン酸、レチノール、酢酸レチノール、パルミチン酸レチノール、テトラサイクリン、イソプロピルウノプロストン、および薬学的に許容されるそれらの塩からなる群から選択される薬学的活性成分を含む、請求項１に記載の方法。
【請求項５】  ＥＴＯが、空気拡散により、および／または窒素、アルゴン、二酸化炭素および空気から選択されるガスで無菌的に該容器をフラッシュすることにより、除去される、請求項１に記載の方法。
【請求項６】  ＥＴＯが１〜２０日間除去される、請求項１に記載の方法。
【請求項７】  容器が０．５〜２４時間ＥＴＯに曝される、請求項１に記載の方法。
【請求項８】  ＥＴＯが２５％(体積／体積、室温)窒素、さらに好ましくは５０％、および特に７５％窒素および／または二酸化炭素を含む、請求項１に記載の方法。
【請求項９】  密閉デバイスがガンマ線照射により滅菌される、請求項１に記載の方法。
【請求項１０】  容器内で安定な医薬組成物の製造方法であって、
ａ）容器を、エチレンオキシド（ＥＴＯ）で、室温にて、滅菌するのに十分な濃度および時間滅菌すること、
ｂ）ＥＴＯ量を１ｐｐｍ未満にするのに十分な期間、無菌条件下で該容器から該ＥＴＯを除去すること、
ｃ）無菌条件下で、医薬組成物を該滅菌容器中に移すこと、および
ｄ）該医薬組成物を含む該容器を、密閉デバイスで密閉すること、
の工程を含む、方法。
【請求項１１】  密閉デバイスがガンマ線照射により滅菌される、請求項１０に記載の製造方法。
【請求項１２】  水性医薬組成物の安定性を改善するための、ＥＴＯ(エチレンオキサイド)滅菌ＰＥ、ＰＰおよび／またはＰＥＴ容器の使用。
【手続補正書】
【提出日】平成16年11月25日(2004.11.25)
【手続補正１】
【補正対象書類名】明細書
【補正対象項目名】特許請求の範囲
【補正方法】変更
【補正の内容】
【特許請求の範囲】
【請求項１】  加硫可能なゴム組成物であって、
ａ） 天然ゴム、合成ゴム、又はそれらの組合せから選択されるゴム成分、
ｂ） メチレン供与体、及び
ｃ） 置換３−ヒドロキシジフェニルアミン又は非置換３−ヒドロキシジフェニルアミンを含んでいるメチレン受容体、
を含んでいる組成物。
【請求項２】  ゴム成分に含まれるメチレン受容体は、ゴム成分１００重量部に対して約１〜２５重量部である請求項１の組成物。
【請求項３】  ゴム成分に含まれるメチレン受容体は、ゴム成分１００重量部に対して約１〜５重量部である請求項２の組成物。
【請求項４】  メチレン受容体とメチレン供与体の重量比は、約１：１０乃至１０：１である請求項１の組成物。
【請求項５】  メチレン供与体は、ヘキサメチレンテトラアミン、ジ−Ｎ−メチロール−メラミン、トリ−Ｎ−メチロール−メラミン、テトラ−Ｎ−メチロール−メラミン、ペンタ−Ｎ−メチロール−メラミン、ヘキサ−Ｎ−メチロール−メラミン、ヘキサメトキシメチルメラミン、オキサゾリジン及びＮ−メチル−１，３，５−ジオキサジンから成る群から選択される請求項１の組成物。
【請求項６】  メチレン供与体はヘキサメチレンテトラアミンであり、メチレン受容体とメチレン供与体の重量比は２：１以上である請求項６の組成物。
【請求項７】  （ｄ） 強化材をさらに含んでいる請求項１の組成物。
【請求項８】  硫黄、カーボンブラック、酸化亜鉛、シリカ、酸化防止剤、ステアレート、促進剤、オイル及び接着補強剤から成る群から選択される少なくとも１種の添加剤をさらに含んでいる請求項１の組成物。
【請求項９】  メチレン受容体は、非置換３−ヒドロキシジフェニルアミンである請求項１の組成物。
【請求項１０】  ゴム組成物を製造する方法であって、
ａ） 天然ゴム、合成ゴム、又はそれらの組合せから選択されるゴム成分、
ｂ） メチレン供与体、及び
ｃ） 置換３−ヒドロキシジフェニルアミン又は非置換３−ヒドロキシジフェニルアミンを含んでいるメチレン受容体、
を混合する工程を含んでいる方法。
【請求項１１】  ゴム成分に含まれるメチレン受容体は、ゴム成分１００重量部に対して約１〜２５重量部である請求項１０の方法。
【請求項１２】  ゴム成分に含まれるメチレン受容体は、ゴム成分１００重量部に対して約１〜５重量部である請求項１１の方法。
【請求項１３】  メチレン受容体とメチレン供与体の重量比は、約１：１０乃至１０：１である請求項１０の方法。
【請求項１４】  メチレン供与体は、ヘキサメチレンテトラアミン、ジ−Ｎ−メチロールメラミン、トリ−Ｎ−メチロールメラミン、テトラ−Ｎ−メチロールメラミン、ペンタ−Ｎ−メチロールメラミン、ヘキサ−Ｎ−メチロールメラミン、ヘキサメトキシメチルメラミン、オキサゾリジン及びＮ−メチル−１，３，５−ジオキサジンから成る群から選択されるる請求項１０の方法。
【請求項１５】  メチレン受容体は、非置換３−ヒドロキシジフェニルアミンである請求項１０の方法。
【請求項１６】  置換３−ヒドロキシジフェニルアミン又は非置換３−ヒドロキシジフェニルアミンは、非置換レゾルシノール又は置換レゾルシノールと非置換アニリン又は置換アニリンを反応させることによって調製される請求項１又は１０の方法。
【請求項１７】  アニリンは、１又は２以上のＣ1-6アルキル基で置換される請求項１６の方法。
【請求項１８】  レゾルシノールは、Ｃ1-6アルキル基又はＯＨ基でメタ置換されている請求項１６の方法。